(57)【要約】【課題】傘に装着すれば地面や凹凸のある床面、揺れのある床面でも傘の自立が可能な傘の石突き装着具、およびそれを用いた傘を提供する。【解決手段】吸盤１を内装した保持体４の上方に、傘２０の石突き２１を保持する石突き装着部５を設け、石突き装着部５に傘２０の石突き２１を差し入れ押し下げたときに、復帰状態にある吸盤１を床面に押し付ける押圧部３を有した構成とされており、吸盤１の下方には、ゲル状の半固形物層２を形成したことを特徴とする。【選択図】図１
2008048948.tif 000002
【特許請求の範囲】
【請求項１】
吸盤の上方に、傘の石突きを保持する石突き装着部を設け、該石突き装着部に傘の石突きを差し入れ押し下げたときに、復帰状態にある吸盤を床面に押し付ける押圧部を有した構成とされており、上記吸盤の下方には、ゲル状の半固形物層を形成したことを特徴とする傘自立用石突き装着具。
【請求項２】
請求項１において、
上記吸盤は、上端を開口した保持体に内装されていることを特徴とする傘自立用石突き装着具。
【請求項３】
請求項２において、
上記石突き装着部は、上記押圧部に連結されていることを特徴とする傘自立用石突き装着具。
【請求項４】
請求項３において、
上記石突き装着部に装着した傘を押し下げたときに、上記保持体と上記石突き装着部の下端とを係止する係止手段をさらに備えたことを特徴とする傘自立用石突き装着具。
【請求項５】
請求項２において、
上記石突き装着部は、上記保持体に連結され、かつ上記押圧部には連結されていないことを特徴とする傘自立用石突き装着具。
【請求項６】
請求項５において、
上記押圧部は、上記保持体に内装され、その下端が上記吸盤に連結され、かつその上端は上記保持体の上部に形成した凹部より突出されて押圧板を固着させており、
上記石突き装着部に装着した傘を押し下げたときに、上記保持体と上記押圧板とを係止する係止手段をさらに備えたことを特徴とする傘自立用石突き装着具。
【請求項７】
請求項１〜６のいずれか１項において、
上記ゲル状の半固形物層を覆い隠す開閉可能なカバーをさらに備えていることを特徴とする傘自立用石突き装着具。
【請求項８】
請求項７において、
上記カバーは、上記石突き装着部に対し回動可能に取り付けられており、かつ底面を傾斜面としていることを特徴とする傘自立用石突き装着具。
【請求項９】
請求項１において、
上記保持体には、上記吸盤が上記ゲル状の半固形物層とともに復帰状態にあるときに、上記吸盤と上記ゲル状の半固形物層の側面を覆い隠す周壁部が形成されていることを特徴とする傘自立用石突き装着具。
【請求項１０】
請求項９において、
上記保持体は、上記吸盤が上記ゲル状の半固形物層とともに復帰状態にあるときに、上記ゲル状の半固形物層の底面を覆い隠すカバー体を開閉可能に、上記周壁部に一体的に取り付けた構造としたことを特徴とする傘自立用石突き装着具。
【請求項１１】
請求項１〜１０のいずれか１項に記載の傘自立用装着具を装着させたことを特徴とする傘。
【発明の詳細な説明】
【技術分野】
【０００１】
本発明は、傘の石突きに装着して、傘を自立させるようにした傘の石突き装着具および、その装着具を取り付けた自立可能な傘に関するものである。
【背景技術】
【０００２】
雨の日に電車やバスに乗車した場合、傘の処置がきわめて不便である。また、傘立てのない屋内や屋外では、傘の置き場に困ることもある。
【０００３】
この問題を解決するために、次の特許文献では、吸盤を利用した傘が提案されている。例えば、特許文献１には傘の柄に吸盤を連結させて壁面などに吊り下げるもの、特許文献２、３には吸盤を傘の石突きに取り付けて立てかけたときに滑らないようにしたものが記載されている。
【特許文献１】特開平８−１２６５０８号公報
【特許文献２】特開平１０−１１３２０７号公報
【特許文献３】実開昭５２−１７１４５４号公報
【発明の開示】
【発明が解決しようとする課題】
【０００４】
しかしながら、吸盤は平坦面には吸着するが、電車内の壁面、床面や道路、外床など少しでも凹凸のある面では吸着力はきわめて弱く持続性が保てないか吸着力がほとんどないため、傘の吊り下げ、あるいは自立を保持することはできない。
【０００５】
特に、上記文献２に提案されたものは、壁などに立てかけたときに滑り止めとして使用できる程度であり、凹凸のある地面や床面では、傘を自立させることはほとんど不可能である。
また、上記文献１の吊り下げるものでは、近くに吸着すべき壁面がなければならず、電車内では利用可能性がきわめて低い。
加えて、上記文献３に提案されたものも、自立はほとんど不可能と想像できるが、たとえ吸盤の強い吸着力で傘を自立できたとしても、傘と吸盤が直接固着されているため電車の揺れや屋外での風により傘が揺れた場合、傘が傾倒する力が吸盤自体に直接伝わるため、吸盤自体の吸着力は失われ、吸盤がはずれる可能性がきわめて高い。
【０００６】
本発明は、このような問題を解決すべく提案したもので、その目的は、傘に装着すれば地面や凹凸のある床面、揺れのある床面でも傘の自立が可能な傘の石突き装着具、およびそれを用いた傘を提供することにある。また、揺れにも耐え得る装着具を提供することを第２の目的とする。
【課題を解決するための手段】
【０００７】
上記目的を達成するために、請求項１に記載の傘自立用石突き装着具は、吸盤の上方に、傘の石突きを保持する石突き装着部を設け、石突き装着部に傘の石突きを差し入れ押し下げたときに、復帰状態にある吸盤を床面に押し付ける押圧部を有した構成とされており、吸盤の下方には、ゲル状の半固形物層を形成したことを特徴とする。
【０００８】
請求項２に記載の本発明では、吸盤は上端を開口した保持体に内装されていることを特徴とする。
【０００９】
請求項３に記載の本発明では、石突き装着部が押圧部に連結されていることを特徴とする。
【００１０】
請求項４に記載の本発明では、石突き装着部に装着した傘を押し下げたときに、保持体と石突き装着部の下端とを係止する係止手段をさらに備えたことを特徴とする。
【００１１】
請求項５に記載の本発明では、石突き装着部が保持体に連結され、かつ押圧部には連結されていないことを特徴とする。
【００１２】
請求項６に記載の本発明では、押圧部は保持体に内装され、その下端が吸盤に連結され、かつその上端は保持体の上部に形成した凹部より突出されて押圧板を固着させており、石突き装着部に装着した傘を押し下げたときに、保持体と押圧板とを係止する係止手段をさらに備えたことを特徴とする。
【００１３】
請求項７に記載の本発明では、ゲル状の半固形物の接地面を覆い隠す開閉可能なカバーをさらに備えている。
【００１４】
請求項８に記載の本発明では、カバーが石突き装着部に対し回動可能に取り付けられており、かつ底面を傾斜面としている。
【００１５】
請求項９に記載の本発明では、保持体には、吸盤がゲル状の半固形物層とともに復帰状態にあるときに、吸盤と上記ゲル状の半固形物層の側面を覆い隠す周壁部が形成されていることを特徴とする。
【００１６】
請求項１０に記載の本発明では、保持体は、吸盤が上記ゲル状の半固形物層とともに復帰状態にあるときに、ゲル状の半固形物層の底面を覆い隠すカバー体を開閉可能に、周壁部に一体的に取り付けた構造としたことを特徴とする。
【００１７】
請求項１１に記載の傘は、請求項１〜１０のいずれか１項に記載の傘自立用装着具を装着させている。
【発明の効果】
【００１８】
請求項１〜１１に記載の本発明によれば、吸盤の下方にゲル状の半固形物層（以下、ゲル層ともいう）を形成しているので、吸盤を押し下げた際には、伸縮自在で柔軟なゲル層によって凹凸のある床面との間に生じる隙間を塞ぎ、隙間からの空気侵入を防止できる。また、ゲル層は少なくとも吸盤が吸着するまでの過程において吸盤に密着し吸盤と一体となるため、吸盤本来の吸着力が落ちないばかりか、空気浸入防止効果と相俟って吸着力も増加する。道路や外床、電車内の床面など多少の凹凸がある場合や、風や電車内の揺れによって自立した傘が揺れる場合であっても、傘を押し下げるだけで強力に吸着させ、傘を手放しにして長時間自立させることができる。
【００１９】
請求項３に記載の本発明では、石突き装着部が押圧部に連結されている構成であるため、押圧部を石突き装着部と一体的に成形すれば、簡易に製造することができる。
【００２０】
請求項４に記載の本発明では、石突き装着部に装着した傘を押し下げたときに、保持体と押圧部に連結された石突き装着部の下端とを係止する係止手段をさらに備えているので、吸着力の低下により押圧部が上方に復帰することを阻止でき、自立時間をより長くすることができる。
【００２１】
請求項５に記載の本発明では、石突き装着部は保持体に連結され、かつ押圧部とは連結されていないため、自立時に電車内の揺れ等によって傘が揺れても吸盤には振動が伝わりにくく、吸盤の吸着力を持続させることができる。
【００２２】
請求項６に記載の本発明では、石突き装着部に装着した傘を押し下げたときに、保持体と押圧板の上端に形成した押圧板とを係止する係止手段を備えているため、吸着力の低下により石突き装着部が上方に復帰することを阻止でき、自立時間をより長くすることができる。
【００２３】
請求項７に記載の本発明によれば、ゲル状の半固形物層の接地面にカバーを取り付けているので、吸着自立を必要としないときに、ゲル状の半固形物層の接地面を雨水やゴミなどから有効に保護することができる。特にカバーは、それをゲル状の半固形物に取り付けた状態で、非吸着で自立させることができる。また、請求項８に記載の本発明では、カバーが石突き装着部に対し回転でき、かつカバーが傾斜構造であるため、傘全体の重心がずれている場合でも、バランスよく自立させることができる。
【００２４】
請求項９に記載の本発明によれば、保持体に周壁部を設けているため、その周壁部だけでもって自立させることができる。また、その周壁部で吸盤とゲル状の半固形物層の側面を覆い隠すため、吸盤が復帰状態のときにゲル層は少し浮いた状態になり、非吸着で自立させるときに、ゲル層が床面に接触されないため、ゲル層２を有効に保護できる。
【００２５】
請求項１０に記載の本発明では、開閉可能なカバー体を設けているので、ゲル層の露出面を雨水やゴミなどから保護できる。また、カバー体は保持体と一体に形成されているため、紛失することがない。また、非吸着で自立させる場合に、カバー体によって底面積を大きくしてバランスよく自立させることができる。
【発明を実施するための最良の形態】
【００２６】
以下に、本発明の最良の実施形態について、添付図面を参照しながら説明する。
【００２７】
図１は、本発明の傘自立用装着具に傘を装着した使用例を示し、（ａ）は非吸着時、（ｂ）は吸着時の斜視図である。図２は同装着具の縦断面図、図３は同装着具に使用する装着部の平面図、図４は同装着具に使用する吸盤とゲル状の半固形物層との接着関係を示した断面図である。
【００２８】
この傘自立用装着具１０は、吸盤１、吸盤１の下方に形成したゲル状の半固形物層２と、吸盤１に対し直接押圧力を伝達する押圧部３と、吸盤１を上方より覆った保持体４と、傘の石突きを装着させる石突き装着部５と、スプリング６と、石突き装着部５に一端を固着された抜け止め防止具７とを備えている。
【００２９】
吸盤１は、軟質の合成樹脂により、円盤に近い偏平な円錐形状に成形されており、吸盤１単体では、吸着対象に当接させてその頂部より押圧することにより内部が負圧状態となり、吸着対象に吸着する。また、吸盤１の吸着面側にはゲル状の半固形物層２を形成し、頂部には後述する押圧部３を連結させている。
また吸盤１の下端周縁部には、吸盤１の周縁を持ち上げて吸着を解除する（吸盤１を床面８よりはがす）ための取り外し片１ａが一体形成されている。
【００３０】
ゲル状の半固形物層２は、ポリエチレン系素材、ポリウレタン系素材などで製されたゲル層で、シート状のものを所定サイズに切断して使用できる。なお、ゲル層２にも、吸盤１の取り外し片１ａに固着させるようにした取り外し片を設けてもよい。また、耐震製品として使用される衝撃吸収用パッドも使用できる。吸盤１との接着状態は図４に示すように、種々のものが採用できる。
【００３１】
ここで、ゲル状の半固形物には、液体のような柔軟性を有しながらも固体のような弾力性も発揮するゲルの意味を含んでいる。柔軟性があるため外力により形状は変化するが、弾力性を有しているため元の形状を維持できる。水分を含むものと含まないものがあるが、経時変化のほとんどない水分や溶媒を含まないものが好適に利用できる。
また、ゲルは粘着性の有無、粘着力の程度にかかわらず、いずれのものも使用できる。吸着力を補完するために、ゲル層２の両面または一方面にさらに強い粘着力を持たせてもよい。
【００３２】
図４（ａ）は、吸盤１の吸着面を包み込む程度の大きさの正方形のゲル層２を吸盤１の下方よりあてがい、４隅を保持体４の上面に接着させた例である。図４（ｂ）は、吸盤１とほぼ同径か、あるいはやや大きめの円盤状のゲル層２を、吸盤１との間に空間ができるように粘着または接着させた例、図４（ｃ）は、円盤状のゲル層２を吸盤１の吸着面に粘着または接着させ、吸着対象との間に空間を形成させた例である。
【００３３】
いずれの場合も、上方より押圧したときに床面８との間が負圧になることが発明者の試験により確認されている。図４（ｂ）、（ｃ）の場合には、吸盤１とゲル層２の粘着性が弱い場合にはゲル層２が外れるおそれがあるため、接着することが望ましい。ただし、図４（ｂ）の場合には、押圧したときに空気を確実に外に押し出せるように、周縁を完全に接着しないことが望ましい。
なお、ゲル層２は別体のシート状のものを粘着、接着するものに限られず、吸盤１の吸着面に層として形成させたものを使用してもよい。
【００３４】
押圧部３は、金属などで製された押圧棒３ａと、その下端に接合させ吸盤１の頂部に埋め込ませた円盤３ｂと、吸盤１の頂部周辺を覆うように逆漏斗状にプラスティックなどで形成した押圧補助カバー３ｃとを備えている。押圧棒３ａは押圧補助カバー３ｃの上方円筒部分に貫通固着されており、押圧部３を押し下げることにより、吸盤１の中央頂部とその周辺を同時に押圧できる構造となっている。
【００３５】
保持体４は、硬質のプラスティック等で製され、吸盤１を内装した円錐状のコーン部４ａと、その上方の凹部４ｂとは開口４ｃによって連通しており、吸盤１に介装された押圧部３を開口４ｃに貫通させている。
【００３６】
また、開口４ｃを設けた箇所には内向鍔４ｄが形成されており、この内向鍔４ｄと石突き装着部５の下端との間に弾性力を有したスプリング６を介在させている。つまり、押圧部３にはスプリング６が外嵌されており、吸盤１の復帰状態では、スプリング６が収縮していない状態で、その上端が下端凹所５ｂに、下端が凹所４ｂの内向鍔４ｄの上面に接している。
【００３７】
一方、石突き装着部５は、傘２０の石突き２１を差し入れて挿着させる傘挿着部５ａと、吸盤１と一体となって吸盤１を押圧するための押圧部３の上端を固着させた下端凹所５ｂとを有している。
【００３８】
図２、図３に示すように、傘挿着部５ａには、花弁状のバネ板で形成された挟持具５ｃが内装され、さらにその内方に軟質ゴム５ｄが固着され、その開口は傘の石突きの径と同じか、やや小さめに形成されている。なお、挟持具５のバネ板の１つは、傘の抜き取りを容易にするための操作片５ｅを突出させている。
【００３９】
図１（ａ）にも示すように、傘２０の石突き２１を図２の矢印Ａの方向より傘挿着部５ａの開口に差し入れようとすると、石突き２１によって軟質ゴム５ｄが圧縮され、さらに挟持具５ｃが外方に少し拡がるため、石突き２１は奥まで入り込むが、その状態で石突き２１は、挟持具５ｃと軟質ゴム５ｄの復元弾性力によって強く挟持される。なお、挟持具５ｃを形成せず、軟質ゴム５ｄのみによって挟持させるものでもよい。
【００４０】
なお、軟質ゴム５ｄは、種々のサイズの石突きを挟持できるように、着脱自在にして厚さの異なるものに取り替え可能とするか、あるいは補助ゴム（不図示）やすべり止めゴム（不図示）を挿嵌するようにしてもよい。
【００４１】
また、石突き装着部５の下端凹所５ｂは、上述するように押圧部３の上端が固着され、スプリング６を収容しており、下端凹所５ｂの一部は、保持体４の凹所４ｂ内に回動可能に遊嵌されている。
【００４２】
図中の７は抜け止め防止具であり、傘挿着部５ａの上端に取り付け固定されており、その下端７ａは、石突き装着部５を傘で押し込んだときに、遊嵌状態にある保持体４の凹所４ｂと下端凹所５ｂとの隙間に嵌入できるようにしている。
【００４３】
以上には、傘自立用石突き装着具１０の内部構造の一例を示しているが、このようなスプリング６を設けた構造に限定されない。吸盤１を内装した保持体４の上方に、押圧部３に連結させた石突き装着部５を設けたものであればよい。もっとも単純な構造としては、石突き装着部５と、押圧部３と、下方にゲル状の半固形物層２を形成した吸盤１とを備えた構造であればよい。また、押圧部３は石突き装着部の下方側に同一素材で一体成形したものでもよい。
【００４４】
次に、傘２０を自立させるための吸着動作について図１、図２を参照しながら説明する。
【００４５】
図１（ａ）は傘２０の石突き２１を装着する状態を示しており、吸盤１は非吸着の状態（復帰状態）を示している。この状態で、図２の破線矢印Ｂ方向に傘２０を押し込むと、押圧部３が吸盤１を押圧し、図４（ｂ）、（ｃ）に示した吸盤１とゲル状の半固形物層２、ゲル状の半固形物層２と床面８との間の空間ｇ、ｇ´の空気が外部に押し出され、図１（ｂ）に示すように、石突き装着部５の下端凹所５ｂが保持体４の凹所４ｂに深く入り込んだ状態となって、ゲル状の半固形物層２が凹凸部８ａを有した床面８や地面に密着した状態で吸着する。
【００４６】
例えば、図４（ｂ）のようにゲル２を形成させたものでは、吸盤１を押圧すると、空間ｇの空気が押し出され、吸盤１とゲル２とは密着し一体となり、吸盤１はゲル２とともに全体として１つの吸盤を構成するため、吸盤本来の吸着力は衰えず、それどころかゲル状であることによる気密性が相俟って吸着力は増加する。
【００４７】
また、内装されたスプリング６は、その下端が保持体４の内向鍔４ｃに接しているため、押圧によって弾性収縮するが、スプリング６の復帰弾性力によって内向鍔４ｃを押圧するため、保持体４全体が下方に移動し、保持体４の下端周縁が吸盤１とゲル層２を押圧し、それによっても空気侵入を防止でき、吸着力を持続させる。
【００４８】
一方、スプリング６は上方にも復帰しようとするが、復帰弾性力よりも吸着力のほうが勝っているため吸着力が衰えない限りは元に戻らず、石突き装着部５の下端凹所５ｂが保持体４の凹所４ｂに深く収容された状態を維持する。さらに、押圧時には石突き装着具５に取り付けた抜け止め防止具７の下端７ａが、凹所４ｂと下端凹所５ｂとの隙間に嵌まり込み、スプリング６の復帰を阻止するため、吸着状態をより長時間保持できる。つまり、抜け止め防止具７は、スプリング６の復帰を阻止するために石突き装着部５と保持体４とを係止させる係止手段を構成する。
【００４９】
以上のように、本発明によれば、吸盤１の吸着面側にゲル状の半固形物層２を形成したため、ゲル状であること、つまりゲルの有する柔軟性と弾力性によって、伸縮自在となって凹凸のある床面８との隙間を塞ぎ、そこからの空気侵入を防止でき、道路や外床、電車内の床面など多少の凹凸がある面に対しても、傘２０を押し込むだけで強力に吸着でき、傘２０を手放しにして自立させることができる。また、弾力性を有しているため、吸盤１が吸着状態より復帰すると元の状態に復帰できる。さらに、上記の保持体４、石突き装着部５、抜け止め防止具７など種々の構成によって、自立状態を長時間保持することができる。
【００５０】
以上には、傘自立用石突き装着具１０の吸着について説明したが、次に、同装着具１０の吸盤１の吸着力を使用しない場合について説明する。
【００５１】
傘自立用石突き装着具１０は、その下端がゲル層２を露出しているため、自立させる必要のないとき、例えば傘を畳んで携帯しているとき、あるいは傘をさしているときなどにゲル層２の接地面を保護するために、開閉（着脱）可能なカバー１５をさらに備えている。
【００５２】
図５はカバー１５の説明図、図６はカバー１５で傘２０を自立させた例図である。
カバー１５は、ゲル状の半固形物層２の接地面を覆い隠す面を有していればよく、バランスを考慮して薄めのものが望ましい。例えば、パン状のキャップを加工成形したものでもよい。また、図示するように、傘２０の重心を考慮して底面を傾斜面としてもよい。
【００５３】
傘２０の吸着自立が不要な場合に、このカバー１５をゲル層２の接地面に、吸盤１の吸着力またはゲル層２の粘着力で取り付けておくと、雨やゴミなどがゲル層２の接地面に付着しないため、ゲル層２を保護でき、ゲル層２に粘着力がある場合にはその経時低下を防止でき、ゲル層２が長持ちする。また、傘２０を立てかけたり、短時間自立させたりする程度でも、カバー１５を付けたままで利用できる。
【００５４】
また、底面を傾斜させているものでは、傘２０の柄２２やストラップ１６などで傘２０全体の重心がずれている場合でも、石突き装着部５をカバー１５に対して回動させることによって、傘２０を自立できるように調節することができる。
【００５５】
なお、ストラップ１６は、一方を傘２０の露先２４に、他方を吸盤１の取り外し片１ａに連結しており、携帯時の肩掛けとして使用できる。また、取り外し片１ａに連結しているため、腰をかがめることなく、ストラップ１６を引っ張るだけで容易に吸盤１の吸着を解除することができる。
【００５６】
図７は、カバーの他例を示す説明図である。
このカバー１５Ａは、カバー本体１５ａと、カバー本体１５ａの周縁部の適所に連結された固着片１５ｂと、固着片１５ｂとは反対側の周縁部に連結された取付片１５ｃとよりなり、固着片１５ｂを保持体４に固着させ、カバー本体１５ａを回動させて、取付片１５ｃで保持体４に取り付けて、吸着面（ゲル層２）を保護できるようになっている。
なお、取付片１５ｃの保持体４への取り付けは、平面ファスナー１５ｄ、１５ｄなどの係着手段を使用すればよい。
【００５７】
図８は傘２０を広げたときの図である。雨降り時には、本装着具１０を装着したまま使用してもよく、その場合にカバー１５、１５Ａでゲル層２をカバーした状態にすれば、ゲル層２を雨水から保護することができる。なおカバー１５がパン状のものでは雨降り時には凹所が上方を向くため、雨水が溜まらないようにカバー１５に排水孔を設けることが望ましい。
【００５８】
図９、図１０は、傘自立用石突き装着具の他例を示す図である。
図９は本発明の傘自立用装着具の他例を示す斜視図あり、揺れに強い傘自立用装着具の一例を示すもので、図９（ａ）は非吸着時、（ｂ）は吸着時の状態を示している。また図１０は同装着具の縦断面図である。
【００５９】
この装着具１０Ａは、図１〜図３に示した傘自立用石突き装着具１０と比較すると、保持体４Ａおよび石突き装着部５Ａの構造が異なり、さらに押圧構造も異なる。なお、他の構成については、上述のものと同様の機能、構造を有しているため、同一の符号を付して、その説明を省略する。また、カバーは不図示であるが、図５、図７のものが使用できる。
【００６０】
この保持体４Ａは、図１〜図３の例に比べ肉厚に形成され、さらに上方に石突き装着部５Ａを連結形成させている。この石突き装着部５Ａは、花弁状のバネ板よりなる挟持具５ｃと、その内方に設けた軟質ゴム５ｄとより構成され、図１〜図３の例と同様に、傘２０の石突き２１を図２の矢印Ａの方向より差し入れようとすると、石突き２１によって軟質ゴム５ｄが圧縮され、さらに挟持具５ｃが外方に少し拡がるため、石突き２１は奥まで入り込むが、その状態で石突き２１は、挟持具５ｃと軟質ゴム５ｄの復元弾性力によって強く挟持される。なお、図１〜図３の例と同様に、軟質ゴム５ｄを種々のサイズの石突きに対応できるよう構成することはいうまでもない。
【００６１】
また図示するように、この石突き装着部５Ａは押圧部３とは連結されていない。つまり、傘２０の石突き２１を石突き装着部５Ａに差し入れたときに、傘２０でもって上方より押圧部３に押圧力を伝えることは可能であるが、左右への移動（揺れ）は伝わらない。
【００６２】
そのため、石突き装着部５Ａに差し入れた傘２０が電車の振動などで揺れた場合でも、保持体４Ａを頑丈に構成すれば、その揺れは押圧部３や吸盤１、ゲル層２には伝わらず、揺れにより吸着力が弱まるおそれはほとんどない。
【００６３】
なお図例では、挟持具５ｃは、保持体４Ａの上端に埋め込み連結させているが、保持体４Ａと同一素材にして一体成形したものであってもよい。さらに、その場合には花弁状の挟持具５ｃを形成せず、傘挿着部（図１〜図３に示す傘挿着部５ａと同様のもの）を形成し、その中に設けた軟質ゴム５ｄのみによって石突きを挟持させるものでもよい。また、保持体４Ａの上面を覆う石突き装着体（不図示）を保持体４Ａに連設させてもよい。つまり、その石突き装着体はその上方が石突き装着部として作用し、下方は保持体４Ａとともに二重の保持体を構成する。
【００６４】
また、本例では石突き装着部５Ａが押圧部３に連結されない構成であるため、傘２０の石突き２１で有効に押圧部３を押し込ませるための押圧板９を押圧部３の上端に固着させている。図例では押圧板９は、板部９ａと筒壁部９ｂとよりなる筒状体に形成されており、開口を下方に向けて押圧部３とスプリング６とを内装する。
【００６５】
さらに、押圧部３を傘２０で押し下げたときに、保持体４Ａの上端と押圧板９とを係止させる係止手段として雌、雄係合部４ｈ、９ｃを備えている。
すなわち、この雌、雄係合部４ｈ、９ｃは、傘２０を押し込んだときに遊嵌状態にある保持体４Ａの凹所４ｂと押圧板９の筒壁部９ｂとを強固に結合させ、それによりスプリング６の復帰を阻止するように作用する。そのため、吸着状態をより長時間保持できる。
なお、図１０には左右２箇所で係合するものを示しているが、１箇所でもよく、環状のものでもよい。また、このような雌、雄係合部４ｈ、９ｃによらず、押圧板９に抜け止め防止具を設けて、それによって、保持体４Ａと押圧板９との隙間に嵌入させるようにしてもよい。
【００６６】
本発明者は、図９、図１０の実施例にて、本装着具の主要部を隠した状態で、都内の電車、バス内で試験を行った。試験では、停車駅が最大２９駅とする１５の乗車区間において、本装着具を傘の石突きに装着させて、車内の床面に自立させ、その持続性を測定した。その結果、上記すべての乗車区間において降車駅までの傘の自立が継続していたことを確認でき、判定結果は良好であった。自立の総時間は約２００分であった。
また、上記と同じ区間において、ゲル層２を設けないもので比較試験を行ったが、全く吸着しないか、あるいは吸着してもすぐに吸着力は失われた。
【００６７】
図１１は、傘自立用石突き装着具の他例を示す図である。
【００６８】
図１１（ａ）は非吸着時（復帰状態）、（ｂ）は押圧時の一部断面を含む各側面図、図１１（ｃ）は底面図である。
この装着具１０Ｂは、図１〜図４に示した傘自立用石突き装着具１０と比較すると、保持体４Ｂの構造が異なる。なお、他の構成については、上述のものと同様の機能、構造を有しているため、同一の符号を付して、その説明を省略する。
【００６９】
この保持体４Ｂは、吸盤１がゲル層２とともに復帰状態にあるときに、吸盤１とゲル層２の側面を覆い隠す周壁部４ｅが、コーン部４ａに連設形成され、さらにゲル層２の底面を覆い隠す開閉可能なカバー４ｆを、周壁部４ｅに一体的に取り付けている。カバー４ｆには開閉操作をするための取っ手４ｇが設けられている。
傘２０を床面や地面に自立させるときには、保持体４Ｂのカバー体４ｆを開いた状態で水平にして使用する。
【００７０】
復帰状態にあるときは、側面視したときに、吸盤１、ゲル層２が周壁部４ｅによって隠れた状態にあり、深さを調節した周壁部４ｅでは、床面に置いた状態でもゲル層２の底面は床面に接触しないようにすることができ、ゲル層２の経時劣化を防止できる。
【００７１】
石突き装着部５に装着した傘２０を押し下げると、吸盤１とゲル層２は下方に押し出され、ゲル層２が凹凸のある床面との間に生じる隙間に入り込むとともに、吸盤１の吸着力によって床面に吸着する。
なお、押し下げたときに、周壁部４ｅが床面より浮かず、周壁部４ｅで床面を押圧せず、かつコーン部４ａと周壁部４ｅとの連設段部４ｈで吸盤１の周縁を押圧できるように、スプリング６の復元弾性力や周壁部４ｅの高さなどを調節すればよい。
【００７２】
また、吸着させずに自立させるときには、カバー４ｆによって底面積が広くなり（図１１（ｃ）参照）、傘２０の重心がずれていても、石突き装着部５を回動して重心調節をすれば傘２０をバランスよく自立させることができる。
【００７３】
また、雨降り時には、本装着具１０Ｂを装着したまま使用してもよく、その場合にカバー４ｆを閉じた状態にすれば、図８で示したように、ゲル層２を雨水から保護することができる。
【図面の簡単な説明】
【００７４】
【図１】本発明の傘自立用石突き装着具の一例を示す説明図、（ａ）は非吸着時、（ｂ）は吸着時の斜視図。
【図２】同装着具の縦断面図。
【図３】同装着具の石突き装着部の平面図
【図４】（ａ）〜（ｃ）はゲル状の半固形物の吸盤への形成例を示した図で、（ａ）は平面図、（ｂ）、（ｃ）は縦断面図。
【図５】カバーの説明図。
【図６】カバーで傘を自立させたときの例図。
【図７】カバーの他例を示した傘自立用石突き装着具の斜視図。
【図８】同装着具の雨降り使用例図。
【図９】本発明の傘自立用石突き装着具の他例を示す説明図、（ａ）は非吸着時、（ｂ）は吸着時の斜視図。
【図１０】同装着具の縦断面図。
【図１１】本発明の傘自立用石突き装着具のさらに他例を示す説明図、（ａ）は非吸着時、（ｂ）は吸着時の部分断面図を含む側面図、（ｃ）は底面図。
【符号の説明】
【００７５】
１０      傘自立用石突き装着具
１      吸盤
２      ゲル状の半固形物層（ゲル層）
３      押圧部
３ａ      押圧棒
３ｂ      円盤
３ｃ      押圧補助カバー
４      保持体
４ａ      コーン部
４ｂ      凹所
４ｃ      開口
４ｄ      内向鍔
５      石突き装着部
５ａ      傘挿着部
５ｂ      下端凹所
５ｃ      挟持具
６      スプリング
７      抜け止め防止具（係止手段）
８      床面
１５、１５Ａ      カバー
１６      ストラップ
２０      傘
２１      石突き
１０Ａ      傘自立用石突き装着具（他例）
４Ａ      保持体
４ｈ      雄係合部（係止手段）
５Ａ      石突き装着部
９      押圧板
９ｃ      雌係合部（係止手段）
１０Ｂ      傘自立用石突き装着具（他例）
４Ｂ      保持体
４ｅ      周壁部
４ｆ      カバー
【図１】
2008048948.tif 000003
【図２】
2008048948.tif 000004
【図３】
2008048948.tif 000005
【図４】
2008048948.tif 000006
【図５】
2008048948.tif 000007
【図６】
2008048948.tif 000008
【図７】
2008048948.tif 000009
【図８】
2008048948.tif 000010
【図９】
2008048948.tif 000011
【図１０】
2008048948.tif 000012
【図１１】
2008048948.tif 000013
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
吸盤と、該吸盤の上方で傘の石突きを装着させる石突き装着部と、上端を開口し、上記吸盤を内装した保持体と、上記石突き装着部に傘の石突きを差し入れ押し下げたときに、復帰状態にある上記吸盤を床面に押し付ける押圧部と、上記吸盤の下方に形成したゲル状の半固形物層とを備えており、
上記押圧部は、上記吸盤の頂部に連結され、
上記石突き装着部は、上記保持体に連結され、かつ上記押圧部には連結されていないことを特徴とする傘自立用石突き装着具。
【請求項２】
請求項１において、
上記押圧部は、上記保持体に内装され、その下端が上記吸盤に連結され、かつその上端は上記保持体の上部に形成した凹部より突出されて押圧板を固着させており、
上記石突き装着部に装着した傘を押し下げたときに、上記保持体と上記押圧板とを係止する係止手段をさらに備えたことを特徴とする傘自立用石突き装着具。
【請求項３】
請求項１、２のいずれか１項において、
上記ゲル状の半固形物層を覆い隠す開閉可能なカバーをさらに備えていることを特徴とする傘自立用石突き装着具。
【請求項４】
請求項１〜３のいずれか１項に記載の傘自立用装着具を装着させたことを特徴とする傘。
【手続補正２】
【補正対象書類名】明細書
【補正対象項目名】全文
【補正方法】変更
【補正の内容】
【発明の詳細な説明】
【技術分野】
【０００１】
本発明は、傘の石突きに装着して、傘を自立させるようにした傘の石突き装着具および、その装着具を取り付けた自立可能な傘に関するものである。
【背景技術】
【０００２】
雨の日に電車やバスに乗車した場合、傘の処置がきわめて不便である。また、傘立てのない屋内や屋外では、傘の置き場に困ることもある。
【０００３】
この問題を解決するために、次の特許文献では、吸盤を利用した傘が提案されている。例えば、特許文献１には傘の柄に吸盤を連結させて壁面などに吊り下げるもの、特許文献２、３には吸盤を傘の石突きに取り付けて立てかけたときに滑らないようにしたものが記載されている。
【特許文献１】特開平８−１２６５０８号公報
【特許文献２】特開平１０−１１３２０７号公報
【特許文献３】実開昭５２−１７１４５４号公報
【発明の開示】
【発明が解決しようとする課題】
【０００４】
しかしながら、吸盤は平坦面には吸着するが、電車内の壁面、床面や道路、外床など少しでも凹凸のある面では吸着力はきわめて弱く持続性が保てないか吸着力がほとんどないため、傘の吊り下げ、あるいは自立を保持することはできない。
【０００５】
特に、上記文献２に提案されたものは、壁などに立てかけたときに滑り止めとして使用できる程度であり、凹凸のある地面や床面では、傘を自立させることはほとんど不可能である。
また、上記文献１の吊り下げるものでは、近くに吸着すべき壁面がなければならず、電車内では利用可能性がきわめて低い。
加えて、上記文献３に提案されたものも、自立はほとんど不可能と想像できるが、たとえ吸盤の強い吸着力で傘を自立できたとしても、傘と吸盤が直接固着されているため電車の揺れや屋外での風により傘が揺れた場合、傘が傾倒する力が吸盤自体に直接伝わるため、吸盤自体の吸着力は失われ、吸盤がはずれる可能性がきわめて高い。
【０００６】
本発明は、このような問題を解決すべく提案したもので、その目的は、傘に装着すれば地面や凹凸のある床面、揺れのある床面でも傘の自立が可能な傘の石突き装着具、およびそれを用いた傘を提供することにある。また、揺れにも耐え得る装着具を提供することを第２の目的とする。
【課題を解決するための手段】
【０００７】
上記目的を達成するために、請求項１に記載の傘自立用石突き装着具は、吸盤と、吸盤の上方で傘の石突きを装着させる石突き装着部と、上端を開口し、吸盤を内装した保持体と、石突き装着部に傘の石突きを差し入れ押し下げたときに、復帰状態にある吸盤を床面に押し付ける押圧部と、吸盤の下方に形成したゲル状の半固形物層とを備えており、押圧部が吸盤の頂部に連結され、石突き装着部は保持体に連結され、かつ押圧部には連結されていないことを特徴とする。
【０００８】
（削除）
【０００９】
（削除）
【００１０】
（削除）
【００１１】
（削除）
【００１２】
請求項２に記載の本発明では、押圧部は保持体に内装され、その下端が吸盤に連結され、かつその上端は保持体の上部に形成した凹部より突出されて押圧板を固着させており、石突き装着部に装着した傘を押し下げたときに、保持体と押圧板とを係止する係止手段をさらに備えたことを特徴とする。
【００１３】
請求項３に記載の本発明では、ゲル状の半固形物の接地面を覆い隠す開閉可能なカバーをさらに備えている。
【００１４】
（削除）
【００１５】
（削除）
【００１６】
（削除）
【００１７】
請求項４に記載の傘は、請求項１〜３のいずれか１項に記載の傘自立用装着具を装着させている。
【発明の効果】
【００１８】
請求項１〜４に記載の本発明によれば、吸盤の下方にゲル状の半固形物層（以下、ゲル層ともいう）を形成しているので、吸盤を押し下げた際には、伸縮自在で柔軟なゲル層によって凹凸のある床面との間に生じる隙間を塞ぎ、隙間からの空気侵入を防止できる。また、ゲル層は少なくとも吸盤が吸着するまでの過程において吸盤に密着し吸盤と一体となるため、吸盤本来の吸着力が落ちないばかりか、空気浸入防止効果と相俟って吸着力も増加する。道路や外床、電車内の床面など多少の凹凸がある場合や、風や電車内の揺れによって自立した傘が揺れる場合であっても、傘を押し下げるだけで強力に吸着させ、傘を手放しにして長時間自立させることができる。
【００１９】
また、石突き装着部が押圧部に連結されている構成とすれば、押圧部を石突き装着部と一体的に成形すれば、簡易に製造することができる。
【００２０】
さらに、石突き装着部に装着した傘を押し下げたときに、保持体と押圧部に連結された石突き装着部の下端とを係止する係止手段をさらに備えていれば、吸着力の低下により押圧部が上方に復帰することを阻止でき、自立時間をより長くすることができる。
【００２１】
また、請求項１に記載の本発明では、石突き装着部は保持体に連結され、かつ押圧部とは連結されていないため、自立時に電車内の揺れ等によって傘が揺れても吸盤には振動が伝わりにくく、吸盤の吸着力を持続させることができる。
【００２２】
請求項２に記載の本発明では、石突き装着部に装着した傘を押し下げたときに、保持体と押圧板の上端に形成した押圧板とを係止する係止手段を備えているため、吸着力の低下により石突き装着部が上方に復帰することを阻止でき、自立時間をより長くすることができる。
【００２３】
請求項３に記載の本発明によれば、ゲル状の半固形物層の接地面にカバーを取り付けているので、吸着自立を必要としないときに、ゲル状の半固形物層の接地面を雨水やゴミなどから有効に保護することができる。特にカバーは、それをゲル状の半固形物に取り付けた状態で、非吸着で自立させることができる。また、カバーが石突き装着部に対し回転でき、かつカバーが傾斜構造であれば、傘全体の重心がずれている場合でも、バランスよく自立させることができる。
【００２４】
また、保持体に周壁部を設ける構造とすれば、その周壁部だけでもって自立させることができる。また、その周壁部で吸盤とゲル状の半固形物層の側面を覆い隠すため、吸盤が復帰状態のときにゲル層は少し浮いた状態になり、非吸着で自立させるときに、ゲル層が床面に接触されないため、ゲル層２を有効に保護できる。
【００２５】
さらに、開閉可能なカバー体を設けた構造とすれば、ゲル層の露出面を雨水やゴミなどから保護できる。また、カバー体は保持体と一体に形成されているため、紛失することがない。また、非吸着で自立させる場合に、カバー体によって底面積を大きくしてバランスよく自立させることができる。
【発明を実施するための最良の形態】
【００２６】
以下に、本発明の最良の実施形態について、添付図面を参照しながら説明する。
【００２７】
図１は、傘自立用装着具に傘を装着した参考例を示し、（ａ）は非吸着時、（ｂ）は吸着時の斜視図である。図２は同装着具の縦断面図、図３は同装着具に使用する装着部の平面図、図４は同装着具に使用する吸盤とゲル状の半固形物層との接着関係を示した断面図である。
【００２８】
この傘自立用装着具１０は、吸盤１と、吸盤１の下方に形成したゲル状の半固形物層２と、吸盤１に対し直接押圧力を伝達する押圧部３と、吸盤１を上方より覆った保持体４と、傘の石突きを装着させる石突き装着部５と、スプリング６と、石突き装着部５に一端を固着された抜け止め防止具７とを備えている。
【００２９】
吸盤１は、軟質の合成樹脂により、円盤に近い偏平な円錐形状に成形されており、吸盤１単体では、吸着対象に当接させてその頂部より押圧することにより内部が負圧状態となり、吸着対象に吸着する。また、吸盤１の吸着面側にはゲル状の半固形物層２を形成し、頂部には後述する押圧部３を連結させている。
また吸盤１の下端周縁部には、吸盤１の周縁を持ち上げて吸着を解除する（吸盤１を床面８よりはがす）ための取り外し片１ａが一体形成されている。
【００３０】
ゲル状の半固形物層２は、ポリエチレン系素材、ポリウレタン系素材などで製されたゲル層で、シート状のものを所定サイズに切断して使用できる。なお、ゲル層２にも、吸盤１の取り外し片１ａに固着させるようにした取り外し片を設けてもよい。また、耐震製品として使用される衝撃吸収用パッドも使用できる。吸盤１との接着状態は図４に示すように、種々のものが採用できる。
【００３１】
ここで、ゲル状の半固形物には、液体のような柔軟性を有しながらも固体のような弾力性も発揮するゲルの意味を含んでいる。柔軟性があるため外力により形状は変化するが、弾力性を有しているため元の形状を維持できる。水分を含むものと含まないものがあるが、経時変化のほとんどない水分や溶媒を含まないものが好適に利用できる。
また、ゲルは粘着性の有無、粘着力の程度にかかわらず、いずれのものも使用できる。吸着力を補完するために、ゲル層２の両面または一方面にさらに強い粘着力を持たせてもよい。
【００３２】
図４（ａ）は、吸盤１の吸着面を包み込む程度の大きさの正方形のゲル層２を吸盤１の下方よりあてがい、４隅を保持体４の上面に接着させた例である。図４（ｂ）は、吸盤１とほぼ同径か、あるいはやや大きめの円盤状のゲル層２を、吸盤１との間に空間ができるように粘着または接着させた例、図４（ｃ）は、円盤状のゲル層２を吸盤１の吸着面に粘着または接着させ、吸着対象との間に空間を形成させた例である。
【００３３】
いずれの場合も、上方より押圧したときに床面８との間が負圧になることが発明者の試験により確認されている。図４（ｂ）、（ｃ）の場合には、吸盤１とゲル層２の粘着性が弱い場合にはゲル層２が外れるおそれがあるため、接着することが望ましい。ただし、図４（ｂ）の場合には、押圧したときに空気を確実に外に押し出せるように、周縁を完全に接着しないことが望ましい。
なお、ゲル層２は別体のシート状のものを粘着、接着するものに限られず、吸盤１の吸着面に層として形成させたものを使用してもよい。
【００３４】
押圧部３は、金属などで製された押圧棒３ａと、その下端に接合させ吸盤１の頂部に埋め込ませた円盤３ｂと、吸盤１の頂部周辺を覆うように逆漏斗状にプラスティックなどで形成した押圧補助カバー３ｃとを備えている。押圧棒３ａは押圧補助カバー３ｃの上方円筒部分に貫通固着されており、押圧部３を押し下げることにより、吸盤１の中央頂部とその周辺を同時に押圧できる構造となっている。
【００３５】
保持体４は、硬質のプラスティック等で製され、吸盤１を内装した円錐状のコーン部４ａと、その上方の凹部４ｂとは開口４ｃによって連通しており、吸盤１に介装された押圧部３を開口４ｃに貫通させている。
【００３６】
また、開口４ｃを設けた箇所には内向鍔４ｄが形成されており、この内向鍔４ｄと石突き装着部５の下端との間に弾性力を有したスプリング６を介在させている。つまり、押圧部３にはスプリング６が外嵌されており、吸盤１の復帰状態では、スプリング６が収縮していない状態で、その上端が下端凹所５ｂに、下端が凹所４ｂの内向鍔４ｄの上面に接している。
【００３７】
一方、石突き装着部５は、傘２０の石突き２１を差し入れて挿着させる傘挿着部５ａと、吸盤１と一体となって吸盤１を押圧するための押圧部３の上端を固着させた下端凹所５ｂとを有している。
【００３８】
図２、図３に示すように、傘挿着部５ａには、花弁状のバネ板で形成された挟持具５ｃが内装され、さらにその内方に軟質ゴム５ｄが固着され、その開口は傘の石突きの径と同じか、やや小さめに形成されている。なお、挟持具５のバネ板の１つは、傘の抜き取りを容易にするための操作片５ｅを突出させている。
【００３９】
図１（ａ）にも示すように、傘２０の石突き２１を図２の矢印Ａの方向より傘挿着部５ａの開口に差し入れようとすると、石突き２１によって軟質ゴム５ｄが圧縮され、さらに挟持具５ｃが外方に少し拡がるため、石突き２１は奥まで入り込むが、その状態で石突き２１は、挟持具５ｃと軟質ゴム５ｄの復元弾性力によって強く挟持される。なお、挟持具５ｃを形成せず、軟質ゴム５ｄのみによって挟持させるものでもよい。
【００４０】
なお、軟質ゴム５ｄは、種々のサイズの石突きを挟持できるように、着脱自在にして厚さの異なるものに取り替え可能とするか、あるいは補助ゴム（不図示）やすべり止めゴム（不図示）を挿嵌するようにしてもよい。
【００４１】
また、石突き装着部５の下端凹所５ｂは、上述するように押圧部３の上端が固着され、スプリング６を収容しており、下端凹所５ｂの一部は、保持体４の凹所４ｂ内に回動可能に遊嵌されている。
【００４２】
図中の７は抜け止め防止具であり、傘挿着部５ａの上端に取り付け固定されており、その下端７ａは、石突き装着部５を傘で押し込んだときに、遊嵌状態にある保持体４の凹所４ｂと下端凹所５ｂとの隙間に嵌入できるようにしている。
【００４３】
以上には、傘自立用石突き装着具１０の内部構造の一例を示しているが、このようなスプリング６を設けた構造に限定されない。吸盤１を内装した保持体４の上方に、押圧部３に連結させた石突き装着部５を設けたものであればよい。もっとも単純な構造としては、石突き装着部５と、押圧部３と、下方にゲル状の半固形物層２を形成した吸盤１とを備えた構造であればよい。また、押圧部３は石突き装着部の下方側に同一素材で一体成形したものでもよい。
【００４４】
次に、傘２０を自立させるための吸着動作について図１、図２を参照しながら説明する。
【００４５】
図１（ａ）は傘２０の石突き２１を装着する状態を示しており、吸盤１は非吸着の状態（復帰状態）を示している。この状態で、図２の破線矢印Ｂ方向に傘２０を押し込むと、押圧部３が吸盤１を押圧し、図４（ｂ）、（ｃ）に示した吸盤１とゲル状の半固形物層２、ゲル状の半固形物層２と床面８との間の空間ｇ、ｇ´の空気が外部に押し出され、図１（ｂ）に示すように、石突き装着部５の下端凹所５ｂが保持体４の凹所４ｂに深く入り込んだ状態となって、ゲル状の半固形物層２が凹凸部８ａを有した床面８や地面に密着した状態で吸着する。
【００４６】
例えば、図４（ｂ）のようにゲル２を形成させたものでは、吸盤１を押圧すると、空間ｇの空気が押し出され、吸盤１とゲル２とは密着し一体となり、吸盤１はゲル２とともに全体として１つの吸盤を構成するため、吸盤本来の吸着力は衰えず、それどころかゲル状であることによる気密性が相俟って吸着力は増加する。
【００４７】
また、内装されたスプリング６は、その下端が保持体４の内向鍔４ｃに接しているため、押圧によって弾性収縮するが、スプリング６の復帰弾性力によって内向鍔４ｃを押圧するため、保持体４全体が下方に移動し、保持体４の下端周縁が吸盤１とゲル層２を押圧し、それによっても空気侵入を防止でき、吸着力を持続させる。
【００４８】
一方、スプリング６は上方にも復帰しようとするが、復帰弾性力よりも吸着力のほうが勝っているため吸着力が衰えない限りは元に戻らず、石突き装着部５の下端凹所５ｂが保持体４の凹所４ｂに深く収容された状態を維持する。さらに、押圧時には石突き装着具５に取り付けた抜け止め防止具７の下端７ａが、凹所４ｂと下端凹所５ｂとの隙間に嵌まり込み、スプリング６の復帰を阻止するため、吸着状態をより長時間保持できる。つまり、抜け止め防止具７は、スプリング６の復帰を阻止するために石突き装着部５と保持体４とを係止させる係止手段を構成する。
【００４９】
以上に示した構成によれば、吸盤１の吸着面側にゲル状の半固形物層２を形成したため、ゲル状であること、つまりゲルの有する柔軟性と弾力性によって、伸縮自在となって凹凸のある床面８との隙間を塞ぎ、そこからの空気侵入を防止でき、道路や外床、電車内の床面など多少の凹凸がある面に対しても、傘２０を押し込むだけで強力に吸着でき、傘２０を手放しにして自立させることができる。また、弾力性を有しているため、吸盤１が吸着状態より復帰すると元の状態に復帰できる。さらに、上記の保持体４、石突き装着部５、抜け止め防止具７など種々の構成によって、自立状態を長時間保持することができる。
【００５０】
以上には、傘自立用石突き装着具１０の吸着について説明したが、次に、同装着具１０の吸盤１の吸着力を使用しない場合について説明する。
【００５１】
傘自立用石突き装着具１０は、その下端がゲル層２を露出しているため、自立させる必要のないとき、例えば傘を畳んで携帯しているとき、あるいは傘をさしているときなどにゲル層２の接地面を保護するために、開閉（着脱）可能なカバー１５をさらに備えている。
【００５２】
図５はカバー１５の説明図、図６はカバー１５で傘２０を自立させた例図である。
カバー１５は、ゲル状の半固形物層２の接地面を覆い隠す面を有していればよく、バランスを考慮して薄めのものが望ましい。例えば、パン状のキャップを加工成形したものでもよい。また、図示するように、傘２０の重心を考慮して底面を傾斜面としてもよい。
【００５３】
傘２０の吸着自立が不要な場合に、このカバー１５をゲル層２の接地面に、吸盤１の吸着力またはゲル層２の粘着力で取り付けておくと、雨やゴミなどがゲル層２の接地面に付着しないため、ゲル層２を保護でき、ゲル層２に粘着力がある場合にはその経時低下を防止でき、ゲル層２が長持ちする。また、傘２０を立てかけたり、短時間自立させたりする程度でも、カバー１５を付けたままで利用できる。
【００５４】
また、底面を傾斜させているものでは、傘２０の柄２２やストラップ１６などで傘２０全体の重心がずれている場合でも、石突き装着部５をカバー１５に対して回動させることによって、傘２０を自立できるように調節することができる。
【００５５】
なお、ストラップ１６は、一方を傘２０の露先２４に、他方を吸盤１の取り外し片１ａに連結しており、携帯時の肩掛けとして使用できる。また、取り外し片１ａに連結しているため、腰をかがめることなく、ストラップ１６を引っ張るだけで容易に吸盤１の吸着を解除することができる。
【００５６】
図７は、カバーの他例を示す説明図である。
このカバー１５Ａは、カバー本体１５ａと、カバー本体１５ａの周縁部の適所に連結された固着片１５ｂと、固着片１５ｂとは反対側の周縁部に連結された取付片１５ｃとよりなり、固着片１５ｂを保持体４に固着させ、カバー本体１５ａを回動させて、取付片１５ｃで保持体４に取り付けて、吸着面（ゲル層２）を保護できるようになっている。
なお、取付片１５ｃの保持体４への取り付けは、平面ファスナー１５ｄ、１５ｄなどの係着手段を使用すればよい。
【００５７】
図８は傘２０を広げたときの図である。雨降り時には、本装着具１０を装着したまま使用してもよく、その場合にカバー１５、１５Ａでゲル層２をカバーした状態にすれば、ゲル層２を雨水から保護することができる。なおカバー１５がパン状のものでは雨降り時には凹所が上方を向くため、雨水が溜まらないようにカバー１５に排水孔を設けることが望ましい。
【００５８】
図９、図１０は、傘自立用石突き装着具の実施例を示す図である。
図９は本発明の一例である傘自立用装着具を示す斜視図あり、揺れに強い傘自立用装着具の一例を示すもので、図９（ａ）は非吸着時、（ｂ）は吸着時の状態を示している。また図１０は同装着具の縦断面図である。
【００５９】
この装着具１０Ａは、図１〜図３に示した傘自立用石突き装着具１０と比較すると、保持体４Ａおよび石突き装着部５Ａの構造が異なり、さらに押圧構造も異なる。なお、他の構成については、上述のものと同様の機能、構造を有しているため、同一の符号を付して、その説明を省略する。また、カバーは不図示であるが、図５、図７のものが使用できる。
【００６０】
この保持体４Ａは、図１〜図３の例に比べ肉厚に形成され、さらに上方に石突き装着部５Ａを連結形成させている。この石突き装着部５Ａは、花弁状のバネ板よりなる挟持具５ｃと、その内方に設けた軟質ゴム５ｄとより構成され、図１〜図３の例と同様に、傘２０の石突き２１を図２の矢印Ａの方向より差し入れようとすると、石突き２１によって軟質ゴム５ｄが圧縮され、さらに挟持具５ｃが外方に少し拡がるため、石突き２１は奥まで入り込むが、その状態で石突き２１は、挟持具５ｃと軟質ゴム５ｄの復元弾性力によって強く挟持される。なお、図１〜図３の例と同様に、軟質ゴム５ｄを種々のサイズの石突きに対応できるよう構成することはいうまでもない。
【００６１】
また図示するように、この石突き装着部５Ａは押圧部３とは連結されていない。つまり、傘２０の石突き２１を石突き装着部５Ａに差し入れたときに、傘２０でもって上方より押圧部３に押圧力を伝えることは可能であるが、左右への移動（揺れ）は伝わらない。
【００６２】
そのため、石突き装着部５Ａに差し入れた傘２０が電車の振動などで揺れた場合でも、保持体４Ａを頑丈に構成すれば、その揺れは押圧部３や吸盤１、ゲル層２には伝わらず、揺れにより吸着力が弱まるおそれはほとんどない。
【００６３】
なお図例では、挟持具５ｃは、保持体４Ａの上端に埋め込み連結させているが、保持体４Ａと同一素材にして一体成形したものであってもよい。さらに、その場合には花弁状の挟持具５ｃを形成せず、傘挿着部（図１〜図３に示す傘挿着部５ａと同様のもの）を形成し、その中に設けた軟質ゴム５ｄのみによって石突きを挟持させるものでもよい。また、保持体４Ａの上面を覆う石突き装着体（不図示）を保持体４Ａに連設させてもよい。つまり、その石突き装着体はその上方が石突き装着部として作用し、下方は保持体４Ａとともに二重の保持体を構成する。
【００６４】
また、本例では石突き装着部５Ａが押圧部３に連結されない構成であるため、傘２０の石突き２１で有効に押圧部３を押し込ませるための押圧板９を押圧部３の上端に固着させている。図例では押圧板９は、板部９ａと筒壁部９ｂとよりなる筒状体に形成されており、開口を下方に向けて押圧部３とスプリング６とを内装する。
【００６５】
さらに、押圧部３を傘２０で押し下げたときに、保持体４Ａの上端と押圧板９とを係止させる係止手段として雌、雄係合部４ｈ、９ｃを備えている。
すなわち、この雌、雄係合部４ｈ、９ｃは、傘２０を押し込んだときに遊嵌状態にある保持体４Ａの凹所４ｂと押圧板９の筒壁部９ｂとを強固に結合させ、それによりスプリング６の復帰を阻止するように作用する。そのため、吸着状態をより長時間保持できる。
なお、図１０には左右２箇所で係合するものを示しているが、１箇所でもよく、環状のものでもよい。また、このような雌、雄係合部４ｈ、９ｃによらず、押圧板９に抜け止め防止具を設けて、それによって、保持体４Ａと押圧板９との隙間に嵌入させるようにしてもよい。
【００６６】
本発明者は、図９、図１０の実施例にて、本装着具の主要部を隠した状態で、都内の電車、バス内で試験を行った。試験では、停車駅が最大２９駅とする１５の乗車区間において、本装着具を傘の石突きに装着させて、車内の床面に自立させ、その持続性を測定した。その結果、上記すべての乗車区間において降車駅までの傘の自立が継続していたことを確認でき、判定結果は良好であった。自立の総時間は約２００分であった。
また、上記と同じ区間において、ゲル層２を設けないもので比較試験を行ったが、全く吸着しないか、あるいは吸着してもすぐに吸着力は失われた。
【００６７】
図１１は、傘自立用石突き装着具の他の参考例を示す図である。
【００６８】
図１１（ａ）は非吸着時（復帰状態）、（ｂ）は押圧時の一部断面を含む各側面図、図１１（ｃ）は底面図である。
この装着具１０Ｂは、図１〜図４に示した傘自立用石突き装着具１０と比較すると、保持体４Ｂの構造が異なる。なお、他の構成については、上述のものと同様の機能、構造を有しているため、同一の符号を付して、その説明を省略する。
【００６９】
この保持体４Ｂは、吸盤１がゲル層２とともに復帰状態にあるときに、吸盤１とゲル層２の側面を覆い隠す周壁部４ｅが、コーン部４ａに連設形成され、さらにゲル層２の底面を覆い隠す開閉可能なカバー４ｆを、周壁部４ｅに一体的に取り付けている。カバー４ｆには開閉操作をするための取っ手４ｇが設けられている。
傘２０を床面や地面に自立させるときには、保持体４Ｂのカバー体４ｆを開いた状態で水平にして使用する。
【００７０】
復帰状態にあるときは、側面視したときに、吸盤１、ゲル層２が周壁部４ｅによって隠れた状態にあり、深さを調節した周壁部４ｅでは、床面に置いた状態でもゲル層２の底面は床面に接触しないようにすることができ、ゲル層２の経時劣化を防止できる。
【００７１】
石突き装着部５に装着した傘２０を押し下げると、吸盤１とゲル層２は下方に押し出され、ゲル層２が凹凸のある床面との間に生じる隙間に入り込むとともに、吸盤１の吸着力によって床面に吸着する。
なお、押し下げたときに、周壁部４ｅが床面より浮かず、周壁部４ｅで床面を押圧せず、かつコーン部４ａと周壁部４ｅとの連設段部４ｈで吸盤１の周縁を押圧できるように、スプリング６の復元弾性力や周壁部４ｅの高さなどを調節すればよい。
【００７２】
また、吸着させずに自立させるときには、カバー４ｆによって底面積が広くなり（図１１（ｃ）参照）、傘２０の重心がずれていても、石突き装着部５を回動して重心調節をすれば傘２０をバランスよく自立させることができる。
【００７３】
また、雨降り時には、本装着具１０Ｂを装着したまま使用してもよく、その場合にカバー４ｆを閉じた状態にすれば、図８で示したように、ゲル層２を雨水から保護することができる。
【図面の簡単な説明】
【００７４】
【図１】本発明の参考例として示した傘自立用石突き装着具を示す説明図、（ａ）は非吸着時、（ｂ）は吸着時の斜視図。
【図２】同装着具の縦断面図。
【図３】同装着具の石突き装着部の平面図
【図４】（ａ）〜（ｃ）はゲル状の半固形物の吸盤への形成例を示した図で、（ａ）は平面図、（ｂ）、（ｃ）は縦断面図。
【図５】カバーの説明図。
【図６】カバーで傘を自立させたときの例図。
【図７】カバーの他例を示した傘自立用石突き装着具の斜視図。
【図８】同装着具の雨降り使用例図。
【図９】本発明の傘自立用石突き装着具の実施例を示す説明図、（ａ）は非吸着時、（ｂ）は吸着時の斜視図。
【図１０】同装着具の縦断面図。
【図１１】本発明の参考例として示した傘自立用石突き装着具を示す説明図、（ａ）は非吸着時、（ｂ）は吸着時の部分断面図を含む側面図、（ｃ）は底面図。
【符号の説明】
【００７５】
１０      傘自立用石突き装着具（参考例）
１      吸盤
２      ゲル状の半固形物層（ゲル層）
３      押圧部
３ａ      押圧棒
３ｂ      円盤
３ｃ      押圧補助カバー
４      保持体
４ａ      コーン部
４ｂ      凹所
４ｃ      開口
４ｄ      内向鍔
５      石突き装着部
５ａ      傘挿着部
５ｂ      下端凹所
５ｃ      挟持具
６      スプリング
７      抜け止め防止具（係止手段）
８      床面
１５、１５Ａ      カバー
１６      ストラップ
２０      傘
２１      石突き
１０Ａ      傘自立用石突き装着具（本発明の実施例）
４Ａ      保持体
４ｈ      雄係合部（係止手段）
５Ａ      石突き装着部
９      押圧板
９ｃ      雌係合部（係止手段）
１０Ｂ      傘自立用石突き装着具（参考例）
４Ｂ      保持体
４ｅ      周壁部
４ｆ      カバー